(57)【要約】【課題】  熱転写シートがカセット内に接触することはなく、スムースに繰り出したり巻き取ることができる熱転写シート用カセットを提供する。【解決手段】  熱転写シート用カセット１０は巻取コアの保持部１３と、供給コアの保持部１２とを有するコア保持体１１と、巻取コアの保持部１３および供給コアの保持部１２を各々覆う蓋体２１，２０とを備えている。コア保持体１１に熱転写シート５を案内するロッド３０が設けられている。このロッド３０は熱転写シート５に対してサーマルヘッド５ｂと反対側に、かつ熱転写シート５に対してコア保持体１１側に配置されている。【選択図】  図１
2006212819.tif 000002
【特許請求の範囲】
【請求項１】
巻取コアと、供給コアと、巻取コアと供給コアとに巻き付けられサーマルヘッドにより加熱される熱転写シートとからなるシート体を収納する熱転写シート用カセットにおいて、
巻取コアの保持部と、供給コアの保持部と、これら巻取コアの保持部と供給コアの保持部を連結する一対の連結部とを有するコア保持体と、
巻取コアの保持部と供給コアの保持部とを覆う蓋体と、
コア保持体の一対の連結部間に設けられ、熱転写シートに当接して熱転写シートを案内するロッドとを備え、
ロッドの位置を熱転写シートに対してサーマルヘッドと反対側に配置し、かつロッドを熱転写シートに対してコア保持体側へもってきたことを特徴とする熱転写シート用カセット。
【請求項２】
コア保持体の連結部にロッドを支持する開口支持部が設けられ、この開口支持部の開口部は蓋体の密閉リブにより覆われることを特徴とする請求項１記載の熱転写シート用カセット。
【請求項３】
巻取コアの保持部と供給コアの保持部は、各々巻取コアおよび供給コアを支持するとともに開口する開口軸受を有することを特徴とする請求項１記載の熱転写シート用カセット。
【請求項４】
コア保持体の内面に凹状レールが設けられ、蓋体にこの凹状レールに嵌合する突起が設けられていることを特徴とする請求項１記載の熱転写シート用カセット。
【発明の詳細な説明】
【技術分野】
【０００１】
本発明は熱転写シートからなるシート体を収納する熱転写シート用のカセットに関する。
【背景技術】
【０００２】
従来より巻取コアと、供給コアと、熱転写シートとを有するシート体が知られている。このシート体は巻取コアの保持部と、供給コアの保持部を有するコア保持体と、このコア保持体を覆う蓋体とを備えた熱転写シート用カセット内に収納される（例えば特許文献１参照）。
【０００３】
カセット内では供給コアから熱転写シートが繰り出され、巻取コアに巻き取られる。この間、熱転写シートがサーマルヘッドにより加熱されて熱転写シートから画像が受像シートに転写される。
【０００４】
【特許文献１】ＵＳＰ５１１０２２８号公報
【発明の開示】
【発明が解決しようとする課題】
【０００５】
ところで、カセット内で熱転写シートが繰り出される際、熱転写シートがカセット内面に接触し、巻取コアによる熱転写シートの巻取に支障が生じることがある。このためカセット内に熱転写シートを案内するロッドを設けることも考えられるが、ロッドの設置構造によってはロッドが外れたり、熱転写シートの案内機能を十分に果たせないことがある。
【０００６】
本発明はこのような点を考慮してなされたものであり、カセット内に接触させるとともに熱転写シートをスムースに案内することができる熱転写シート用カセットを提供することを目的とする。
【課題を解決するための手段】
【０００７】
本発明は、巻取コアと、供給コアと、巻取コアと供給コアとに巻き付けられサーマルヘッドにより加熱される熱転写シートとからなるシート体を収納する熱転写シート用カセットにおいて、巻取コアの保持部と、供給コアの保持部と、これら巻取コアの保持部と供給コアの保持部を連結する一対の連結部とを有するコア保持体と、巻取コアの保持部と供給コアの保持部とを覆う蓋体と、コア保持体の一対の連結部間に設けられ、熱転写シートに当接して熱転写シートを案内するロッドとを備え、ロッドの位置を熱転写シートに対してサーマルヘッドと反対側に配置し、かつロッドを熱転写シートに対してコア保持体側へもってきたことを特徴とする熱転写シート用カセットである。
【０００８】
本発明は、コア保持体の連結部にロッドを支持する開口支持部が設けられ、この開口支持部の開口部は蓋体の密閉リブにより覆われることを特徴とする熱転写シート用カセットである。
【０００９】
本発明は、巻取コアの保持部と供給コアの保持部は、各々巻取コアおよび供給コアを支持するとともに開口する開口軸受を有することを特徴とする熱転写シート用カセットである。
【００１０】
本発明は、コア保持体の内面に凹状レールが設けられ、蓋体にこの凹状レールに嵌合する突起が設けられていることを特徴とする熱転写シート用カセットである。
【発明の効果】
【００１１】
以上のように本発明によれば、カセット内において熱転写シートをロッドによりスムースに案内することにより、熱転写シートがカセット内面に接触することはなく、熱転写シートをスムースに繰り出したり、巻取ることができる。また、熱転写シートをサーマルヘッドで押圧しても、ロッドが外方へ外れることはない。
【発明を実施するための最良の形態】
【００１２】
以下、図面を参照して本発明の実施の形態について説明する。
【００１３】
図１乃至図６は、本発明による熱転写シート用カセットの一実施の形態を示す図である。
【００１４】
図１乃至図６に示すように、熱転写シート用カセット１０は巻取コア３と、供給コア２と、巻取コア３と供給コア２とに巻付けられた熱転写シート５とからなるシート体１を収納するものである。
【００１５】
熱転写シート用カセット１０内の熱転写シート５は、供給コア２から繰り出されて巻取コア３に巻取られ、この間熱転写シート５はサーマルヘッド５ｂにより加熱され、受像シート５ａに画像が転写される（図６）。
【００１６】
なお、巻取コア３および供給コア２は、いずれもフランジ３ｂ，２ｂを有している。また巻取コア３および供給コア２は、位置決め用のラチェット３ａ，２ａを有している。
【００１７】
このような構成からなるシート体１を収納する熱転写シート用カセット１０は、巻取コア３を保持する巻取コアの保持部１３と、供給コア２を保持する供給コアの保持部１２と、これら巻取コアの保持部１３と供給コアの保持部１２とを連結する一対の連結部１７とを有するコア保持体１１と、このコア保持体１１の巻取コアの保持部１３と供給コアの保持部１２とを覆う一対の蓋体２１，２０とを備えている。
【００１８】
このうち蓋体２１は巻取コアの保持部１３を覆うものであり、蓋体２０は供給コアの保持部１２を覆うものである。
【００１９】
またコア保持体１１の巻取コアの保持部１３は、巻取コア３の軸３ｃを保持するとともに上方に開口した開口軸受１３ａを有し、供給コアの保持部１２は供給コア２の軸２ｃを保持するとともに上方に開口した開口軸受１２ａを有している。
【００２０】
開口軸受け１３ａ，１２ａは、いずれも上方へ開口するとともに、上方から嵌め込まれる巻取コア３の軸３ｃおよび供給コア２の軸２ｃを嵌合して支持するようになっている。
【００２１】
また、コア保持体１１の一対の連結部１７間に、熱転写シート５に当接してこの熱転写シート５を案内するロッド３０が設けられている。ロッド３０は熱転写シート５に対して、サーマルヘッド５ｂと反対側に配置されており、かつロッド３０は熱転写シート５に対してコア保持体１１側へ配置されている（図６）。
【００２２】
またロッド３０は、各連結部１７に設けられ上方が開口した開口支持部３１により回転自在に支持されており、開口支持部３１の開口部は蓋体２１の内側に設けられた密閉リブ３２により覆われて密閉される。
【００２３】
このように、ロッド３０を熱転写シート５に対してサーマルヘッド５ｂと反対側に、かつ熱転写シート５に対してコア保持体１１側へもってきたことにより、熱転写シート５をサーマルヘッド５ｂが押圧した場合、ロッド３０はコア保持体１１側へ向かうことになり、サーマルヘッド５ｂの押圧時にロッド３０がコア保持体１１の外方へ押圧されてコア保持体１１から外れることはない。
【００２４】
また、ロッド３０は開口支持部３１内へ保持されるので、ロッド３０を開口支持部３１へ上方から挿入するだけで、ロッド３０を容易に開口支持部３１へ収納することができる。さらに、蓋２１をコア保持体１１の巻取コアの保持部１３へ被せるだけで、開口支持部３１を蓋２１の密閉リブ３２により密閉することにより、開口支持部３１と密閉リブ３２によりロッド３０を保持することができる。
【００２５】
なお、図２および図３に示すように、巻取コアの保持部１３の一側（左側）には巻取コア３を他側（右側）へ向かって押圧するスプリング１５が設けられ、供給コアの保持部１２の一側（左側）にも供給コア２を他側（右側）へ向かって押圧するスプリング１４が設けられている。スプリング１５は、巻取コアの保持部１３の壁面と巻取コア３の端部との間に設けられ、スプリング１４は供給コアの保持部１２の壁面と供給コア２の端部との間に設けられている。
【００２６】
そして熱転写シート５の駆動時には、巻取コアの保持部１３および供給コアの保持部１２の他側（右側）から図示しない駆動機構が挿入され、この駆動機構がスプリング１５，１４の力に抗して巻取コア３と供給コア２を図２および図３の左側へ移動させ、巻取コア３と供給コア２を回転駆動させる。
【００２７】
また熱転写シート５を停止する場合、巻取コア３と供給コア２から駆動機構が離れ、スプリング１５，１４によって巻取コア３と供給コア２を図２および図３の右側へ移動させ、巻取コア３と供給コア２のラチェット３ａ，２ａを対応する巻取コアの保持部１３の係合部（図示せず）と供給コアの保持部１２の係合部（図示せず）に係合させて巻取コア３と供給コア２を係止するようになっている。
【００２８】
さらにまた、コア保持体１１の保持部１２と保持部１３の内面に、上下方向に延びる凹状レール２２，２３が各々設けられ、蓋体２０，２１には、この凹状レール２２，２３に嵌込まれる突起２４，２５が各々設けられている。すなわちコア保持体１１に蓋体２０，２１を被せる際、蓋体２０，２１の突起２４，２５を対応する保持部１２と保持部１３の凹状レール２２，２３内に嵌合させる。このことにより、コア保持体１１の保持部１２と保持部１３に蓋体２０，２１をスムースに被せることができる。
【００２９】
次にこのような構成からなる本実施の形態の作用について説明する。
【００３０】
まず、コア保持体１１の開口支持部３１内にロッド３０を装着しておく。次に巻取コア３と供給コア２と熱転写シート５からなるシート体１をコア保持体１１に装着する。この場合、巻取コアの保持部１３と供給コアの保持部１２に、巻取コア３と供給コア２を各々挿着する。
【００３１】
上述のように、巻取コアの保持部１３の開口軸受１３ａと、供給コアの保持部１２の開口軸受１２ａは、いずれも上方へ開口しているので、巻取コア３の軸３ｃと供給コア２の軸２ｃを上方から開口軸受１３ａ，１２ａに嵌込むだけで、巻取コア３の軸３ｃと供給コア２の軸２ｃを開口軸受１３ａ，１２ａに容易に挿着することができる。
【００３２】
次にコア保持体１１の巻取コアの保持部１３に蓋体２１を被せ、供給コアの保持部１２に蓋体２０を被せる。この場合、蓋体２０，２１の突起２４，２５をコア保持体１１の保持部１２および保持部１３の凹状レール２２，２３に嵌込む。このことにより蓋体２１，２０をスムースにコア保持体１１の巻取コアの保持部１３と供給コアの保持部１２に被せることができる。また蓋体２１の密閉リブ３２が開口支持部３１を密閉することにより、ロッド３０を開口支持部３１と密閉リブ３２との間で係止して保持することができる。
【００３３】
このようにして、熱転写シート５を有するシート体１を熱転写シート用カセット１０内に収納保持することができる。
【００３４】
シート体１を熱転写シート用カセット１０内に収納した後、この熱転写シート用カセット１０がプリンタに装着され、プリンタのサーマルヘッド５ｂにより熱転写シート５が加熱され画像が受像シート５ａに転写される（図６）。
【００３５】
この場合、熱転写シート５はロッド３０により熱転写シート間カセット１０内を案内されるので、熱転写シート５がカセット１０内面に接触したり当接することはない。このため熱転写シート５をスムースに供給コア２から繰り出して巻取コア３に巻取ることができる。また、ロッド３０を熱転写シート５に対してサーマルヘッド５ｂと反対側に、かつ熱転写シート５に対してコア保持体１１側へもってきたので、サーマルヘッド５ｂが熱転写シート５を押圧した場合、ロッド３０はコア保持体１１側へ向かうことになり、サーマルヘッド５ｂの押圧時にロッド３０がコア保持体１１の外方へ押圧されてコア保持体１１から外れてしまうことはない。
【図面の簡単な説明】
【００３６】
【図１】本発明による熱転写シート用カセットの一実施例を示す斜視図。
【図２】熱転写シート用カセットの平面図。
【図３】熱転写シート用カセットの正面図。
【図４】図３のIV方向側面図。
【図５】図３のＶ方向側面図。
【図６】熱転写シートとロッドとサーマルヘッドとの関係を示す図。
【符号の説明】
【００３７】
１  シート体
２  供給コア
３  巻取コア
５  熱転写シート
１０  熱転写シート用カセット
１１  コア保持体
１２  供給コアの保持部
１２ａ  開口軸受
１３  巻取コアの保持部
１３ａ  開口軸受
１４  スプリング
１５  スプリング
１７  連結部
２０，２１  蓋体
２２，２３  凹状レール
２４，２５  突起
３０  ロッド
３１  開口支持部
３２  密閉リブ
【図１】
2006212819.tif 000003
【図２】
2006212819.tif 000004
【図３】
2006212819.tif 000005
【図４】
2006212819.tif 000006
【図５】
2006212819.tif 000007
【図６】
2006212819.tif 000008